(57)【要約】【課題】固定接点や可動接点が容器で覆われた閉鎖型構造を有し、かつ接点間の溶着故障を防止した閉鎖型継電器を提供する。【解決手段】  可動接点を有する可動端子と固定接点を有する固定端子とコイルとが取り付けられたベースと、ベースに取り付けられたケースであって、可動端子、固定端子、およびコイルを、ベースにより形成された空間に閉鎖するケースとを含み、コイルに電流を供給して発生した磁力により可動端子を動かして、可動接点と固定接点とを間を接触または非接触にする閉鎖型継電器であって、可動接点および固定接点の少なくとも１つが、４０重量％以上の銀と、１重量％以上のタングステンおよび／またはタングステンカーバイドとを含む。【選択図】図１
2020013661.tif 000002
【特許請求の範囲】
【請求項１】
可動接点を有する可動端子と、固定接点を有する固定端子と、コイルとが取り付けられたベースと、
前記ベースに取り付けられたケースであって、前記可動端子、前記固定端子、および前記コイルを、前記ベースにより形成された空間に閉鎖する前記ケースと、を含み、
前記コイルに電流を供給して発生した磁力により前記可動端子を動かして、前記可動接点と前記固定接点とを間を接触または非接触にする閉鎖型継電器であって、
前記可動接点および前記固定接点の少なくとも１つが、
４０重量％以上の銀と、１重量％以上のタングステンおよび／またはタングステンカーバイドと、を含むことを特徴とする閉鎖型継電器。
【請求項２】
可動接点を有する可動端子と、前記可動端子を挟んで対向配置された、固定接点を有する少なくとも一つの固定端子と、コイルとが取り付けられたベースと、
前記ベースに取り付けられたケースであって、前記可動端子、前記固定端子、および前記コイルを、前記ベースにより形成された空間に閉鎖する前記ケースと、を含み、
前記コイルに電流を供給して発生した磁力により前記可動端子を動かして、いずれかの前記固定端子の固定接点に、前記可動端子の可動接点を接触させる閉鎖型継電器であって、
前記可動接点および前記固定接点の少なくとも１つが、
４０重量％以上の銀と、１重量％以上のタングステンおよび／またはタングステンカーバイドと、を含むことを特徴とする閉鎖型継電器。
【請求項３】
前記可動接点および前記固定接点の少なくとも１つが、
４０重量％以上で９９重量％以下の銀と、１重量％以上で６０重量％以下のタングステンおよび／またはタングステンカーバイドと、を含むことを特徴とする請求項１または２に記載の閉鎖型継電器。
【請求項４】
前記可動接点および前記固定接点の少なくとも１つが、
８５重量％以上で９７重量％以下の銀と、３重量％以上で１５重量％以下のタングステンおよび／またはタングステンカーバイドと、を含むことを特徴とする請求項１または２に記載の閉鎖型継電器。
【請求項５】
前記可動接点および前記固定接点の少なくとも１つが、
さらに、炭素、鉄、ニッケル、コバルト、クロム、モリブデン、銅、タンタル、バナジウム、マグネシウム、亜鉛、スズ、インジウム、ビスマス、パラジウム、ランタン、セリウム、ソリウム、イットリウムおよびジルコニウムからなるグループから選択される少なくとも１つの元素を添加物として含むことを特徴とする請求項１〜４のいずれかに記載の閉鎖型継電器。
【請求項６】
前記可動端子と前記固定端子の間に交流電流が供給される請求項１〜５のいずれかに記載の閉鎖型継電器。
【請求項７】
上記交流電流は、交流電圧が５０Ｖ以上で３００Ｖ以下、かつ定格電流が５Ａ以上で３０Ａ以下、であることを特徴とする請求項６に記載の閉鎖型継電器。
【請求項８】
前記コイルは、１アンペアターン以上で、７５００００アンペアターン以下の起磁力を有することを特徴とする請求項１〜７のいずれかに記載の閉鎖型継電器。
【請求項９】
前記コイルは、１アンペアターン以上で、３０００００アンペアターン以下の起磁力を有することを特徴とする請求項１〜７のいずれかに記載の閉鎖型継電器。
【請求項１０】
外形容積は、１ｃｃ以上で、１００ｃｃ以下であることを特徴とする請求項１〜９のいずれかに記載の閉鎖型継電器。
【請求項１１】
外形容積は、１ｃｃ以上で、２０ｃｃ以下であることを特徴とする請求項１〜９のいずれかに記載の閉鎖型継電器。
【発明の詳細な説明】
【技術分野】
【０００１】
本開示は、閉鎖型継電器に関し、特に、銀タングステンまたは銀タングステンカーバイドを接点材料に用いた閉鎖型継電器に関する。
【背景技術】
【０００２】
電気回路を機械的に開閉する継電器では、固定端子に固定接点が設けられ、可動端子には可動接点が設けられ、可動端子が動くことにより、固定接点と可動接点とが接触／非接触状態となり、電気回路の開閉を行う。固定接点および可動接点の材料としては、酸化物を含み、溶着が発生しにくい材料として、ＡｇＳｎＯ２、ＡｇＳｎＯ２Ｉｎ２Ｏ３等の酸化スズ系材料が用いられている。また、固定接点や可動接点が大気に曝された場合、接点の汚染や腐食による故障、特に溶着故障が発生するため、固定端子や可動端子は、容器で覆うことにより閉鎖されている（例えば、特許文献１参照）。
【先行技術文献】
【特許文献】
【０００３】
【特許文献１】ＷＯ０１／００４３６８号公報
【発明の概要】
【発明が解決しようとする課題】
【０００４】
しかしながら、容器で閉鎖した継電器では、接点の汚染や腐食が防止できるにもかかわらず溶着故障が発生する場合がある。
【０００５】
そこで、本開示は、固定端子や可動端子が容器で覆われた閉鎖型構造を有し、かつ接点間の溶着故障を防止する閉鎖型継電器の提供を目的とする。
【課題を解決するための手段】
【０００６】
本開示の一例は、
可動接点を有する可動端子と、固定接点を有する固定端子と、コイルとが取り付けられたベースと、
前記ベースに取り付けられたケースであって、前記可動端子、前記固定端子、および前記コイルを、前記ベースにより形成された空間に閉鎖する前記ケースと、を含み、
前記コイルに電流を供給して発生した磁力により前記可動端子を動かして、前記可動接点と前記固定接点とを間を接触または非接触にする閉鎖型継電器であって、
前記可動接点および前記固定接点の少なくとも１つが、
４０重量％以上の銀と、１重量％以上のタングステンおよび／またはタングステンカーバイドと、を含むことを特徴とする閉鎖型継電器である。
【発明の効果】
【０００７】
本開示にかかる閉鎖型継電器では、開閉動作（リレー／スイッチング）動作中の、可動端子と固定接点との間の溶着を防止し、閉鎖型継電器の長寿命化が可能となる。
【図面の簡単な説明】
【０００８】
【図１】本開示にかかる閉鎖型継電器の斜視図を示す。
【図２Ａ】本開示にかかる閉鎖型継電器の内部構造の概略図を示す。
【図２Ｂ】本開示にかかる閉鎖型継電器の内部構造の概略図を示す。
【図３】ＡｇＳｎＯ系材料で接点を作製した場合の、接点の開閉回数と、閉鎖空間中の酸素濃度との関係を示す。
【図４】実施例と比較例についての評価結果を示す。
【発明を実施するための形態】
【０００９】
以下、本開示の一例について、添付図面を参照しながら説明する。なお、以下の説明では、必要に応じて特定の方向あるいは位置を示す用語（例えば、「上」、「下」、「右」、「左」を含む用語）を用いるが、それらの用語の使用は図面を参照した本開示の理解を容易にするためであって、それらの用語の意味によって本開示の技術的範囲が限定されるものではない。また、以下の説明は、本質的に例示に過ぎず、本開示、その適用物、あるいは、その用途を制限することを意図するものではない。さらに、図面は模式的なものであり、各寸法の比率等は現実のものとは必ずしも合致していない。
【００１０】
図１は、全体が１００で表される、本開示にかかる閉鎖型継電器（リレー）の斜視図であり、閉鎖前の状態を示す。図２Ａ、図２Ｂは、図１の閉鎖型継電器の内部構造の概略図であり、リレーのスイッチング前後の状態を示す。
【００１１】
図１に示すように、閉鎖型継電器１００は、ベース１０およびケース２０を含む。ベース１０およびケース２０は、例えばポリブチレンテレフタレート（ＰＢＴ）や液晶ポリマー（ＬＤＰ）等の樹脂材料から形成される。ベース１０の上には、コイル３０が載置される。また、ベース１０の上には、可動端子４０と固定端子５０が設けられている。可動端子４０には可動接点４５が設けられ、固定端子５０には固定接点５５が設けられている。可動端子４０と固定端子５０は、共に導電性材料から形成されるが、可動端子４０には導電性のバネ材料が用いられる。図２Ａ、図２Ｂに示すように、ケース２０はベース１０の上に、接着剤で固定され、内部が閉鎖される。
【００１２】
閉鎖型継電器１００は、ベース１０にケース２０を接着して、内部に空気（大気）を含んだ状態となっている。閉鎖型継電器１００では、継電器内への異物の侵入や、液体の侵入は完全に防げる（例えば、バブルリークＡ５０以上の試験をクリア）が、空気の出入りは可能であり、空気の出入りも遮断する密封型継電器とは異なっている。ただし、後述するように、内部でアーク放電が起きた場合、内部の酸素が消費されることにより、酸素濃度は低下する。
【００１３】
閉鎖型継電器１００では、可動端子４０の可動接点４５、および固定端子５０の固定接点５５は、銀タングステン（ＡｇＷ）または銀タングステンカーバイド（ＡｇＷＣ）から形成される。ここでは、銀タングステン（ＡｇＷ）は、４０重量％以上の銀と、１重量％以上のタングステンとを含み、好ましくは、銀が４０重量％以上で９９重量％以下、タングステンが１重量％以上で６０重量％以下、更に好ましくは、銀が４０重量％以上で９７重量％以下、タングステンが３重量％以上で６０重量％以下、または銀が８５重量％以上で９９重量％以下、タングステンが１重量％以上で１５重量％以下、特に好ましくは、銀が８５重量％以上で９７重量％以下、タングステンが３重量％以上で１５重量％以下である。
【００１４】
また、銀タングステンカーバイド（ＡｇＷＣ）は、４０重量％以上の銀と、１重量％以上のタングステンカーバイドとを含み、好ましくは、銀が４０重量％以上で９９重量％以下、タングステンカーバイドが１重量％以上で６０重量％以下、更に好ましくは、銀が４０重量％以上で９７重量％以下、タングステンカーバイドが３重量％以上で６０重量％以下、または銀が８５重量％以上で９９重量％以下、タングステンカーバイドが１重量％以上で１５重量％以下、特に好ましくは、銀が８５重量％以上で９７重量％以下、タングステンカーバイドが３重量％以上で１５重量％以下である。
【００１５】
なお、銀タングステン（ＡｇＷ）、タングステンカーバイド（ＡｇＷＣ）は、不可避的不純物を含む場合もある。さらに、微量添加物として、炭素（Ｃ）、鉄（Ｆｅ）、ニッケル（Ｎｉ）、コバルト（Ｃｏ）、クロム（Ｃｒ）、モリブデン（Ｍｏ）、銅（Ｃｕ）、タンタル（Ｔａ）、バナジウム（Ｖ）、マグネシウム（Ｍｇ）、亜鉛（Ｚｎ）、スズ（Ｓｎ）、インジウム（Ｉｎ）、ビスマス（Ｂｉ）、パラジウム（Ｐｄ）、ランタン（Ｌａ）、セリウム（Ｃｅ）、ソリウム（Ｔｈ）、イットリウム（Ｙ）、ジルコニウム（Ｚｒ）を含んでも良い。これらの元素を含むことで、より長寿命の閉鎖型継電器が得られる。
【００１６】
また、可動接点４５および固定接点５５の双方を、タングステン（ＡｇＷ）やタングステンカーバイド（ＡｇＷＣ）から形成することが好ましいが、いずれか一方を、これらの材料から形成して、他方を他の材料、例えばＡｇＳｎで形成しても良い。
【００１７】
次に、図２Ａ、図２Ｂを用いて閉鎖型継電器１００のリレー／スイッチング動作について説明する。
図２Ａはコイル３０に電流が印加されていない状態であり、可動端子４０の可動接点４５と、固定端子５０の固定接点５５とは接触しており、両端子の間は導通状態になっている。
【００１８】
図２Ｂはコイル３０に電流が印加されている状態であり、鉄心６０が磁化されて可動端子４０を吸着する。これにより、可動端子４０の可動接点４５は、固定端子５０の固定接点５５から離れ、両端子の間は導通状態が解除される。
【００１９】
閉鎖型継電器１００では、コイル３０に電流をオン／オフすることにより、リレー／スイッチング動作が行われる。コイル３０は、１アンペアターン以上で、７５００００アンペアターン以下の起磁力を有し、好ましくは１アンペアターン以上で、３０００００アンペアターン以下の起磁力を有する。また、閉鎖型継電器１００では、外形容積は１ｃｃ以上で、１００ｃｃ以下であり、好適には１ｃｃ以上で、２０ｃｃ以下である。ここで、外形容積とは、端子を除いた閉鎖型継電器１００の容積であり、ケース２０の外形の容積に略等しい。
【００２０】
ここでは、コイル３０に電流を供給した場合にオン状態になる例について説明したが、コイル３０に電流を供給した場合にオフ状態になる構造であっても良い。また、２つの固定端子と、その間に挟まれた可動端子を有し、可動端子が２つの固定端子に交互に接続される構造であっても良い。この場合は、接触する可動接点４５と固定接点５５の少なくとも一方が上述の材料とすれば良い。
【００２１】
次に、本実施の形態にかかる閉鎖型継電器１００において溶着故障が抑制できる原理について説明する。
従来、継電器では、可動接点および固定接点の材料として、導電性が高くかつ溶着が防止できる材料として、例えばＡｇＳｎＯ系材料が用いられてきた。ＡｇＳｎＯ系材料では、導電性の高いＡｇが主成分となり、その中に酸化物であるＳｎＯ２が添加されているため、高い導電性と溶着の防止の双方を可能としていた。つまり、可動接点と固定接点との間にアークが発生して、ＳｎＯ２が分解しても、雰囲気中の酸素によりＳｎが再酸化されて酸化物ＳｎＯ２に戻り、溶着を防止していた。
【００２２】
ここで、塵埃や腐食性ガスが、接点表面に付着し、接点表面が汚染や腐食されると、リレー／スイッチの安定動作が妨げるため、開口部を減らした閉鎖型継電器が用いられる。閉鎖型継電器１００では、ベース１０とケース２０で囲まれた内部が閉鎖空間となっているため、接点が接触する瞬間に発生するアーク放電によりＡｇが酸化されると、内部の酸素濃度が次第に低下する。
【００２３】
図３は、ＡｇＳｎＯ系材料で可動接点および固定接点を作製した場合の、接点の開閉回数（リレー／スイッチ回数）と、閉鎖空間中の酸素濃度との関係を示す。図３からわかるように、開閉回数が増えるに従って、閉鎖空間中の酸素濃度は減少する。つまり、アーク放電により、ＡｇＳｎＯ系材料中のＡｇが酸化され、
４Ａｇ＋Ｏ２→２Ａｇ２Ｏ
の酸化反応により、閉鎖空間中の酸素が消費される。
【００２４】
一方、ＡｇＳｎＯ系材料中の酸化物ＳｎＯ２は、アーク放電により分解されて、
ＳｎＯ２→Ｓｎ＋Ｏ２
となるが、閉鎖容器中では酸素濃度が低いため、Ｓｎは再酸化されず、ＡｇＳｎＯ系材料中の酸化物ＳｎＯ２の量が低下する。
【００２５】
表１は、継電器の端子に使用される代表的な材料の融点である。
【００２６】
表１
2020013661.tif 000003
【００２７】
表１に示すように、ＳｎＯ２の融点は１６２５℃であるが、これがＳｎになると融点が２３２℃に低下する。これに伴い、Ｓｎの軟化温度もＳｎＯ２に比べて大きく低下する。
【００２８】
このため、接点にＡｇＳｎＯ系材料を用いた従来の閉鎖型継電器では、開閉回数が増え、接点中のＳｎＯ２の量が減少しＳｎが増加すると、接点が軟化し、溶着を起こしやすくなる。
【００２９】
これに対して、本開示では、可動接点４５、固定接点５５の材料に、タングステン（ＡｇＷ）やタングステンカーバイド（ＡｇＷＣ）が用いられる。これらの材料では、アークの発生によりＡｇが酸化されて、閉鎖空間中の酸素濃度が低下しても、ＷまたはＷＣはアークにより分解されず、当然に再酸化も不要である。
【００３０】
このため、閉鎖型継電器１００の開閉回数（リレー／スイッチング回数）が増えても、端子材料が軟化せず、端子間の溶着故障を防止できる。
【００３１】
なお、閉鎖型継電器１００の内部のような低酸素雰囲気下では、交流電圧５０〜３００Ｖ、定格電流５Ａ〜３０Ａ領域で、特にこのような溶着故障が問題となる。即ち、低酸素雰囲気下では、熱的ピンチ効果によりアーク密度が増加し、アーク継続時間が短縮する。
【００３２】
例えば、端子間が直流負荷電圧ＤＣ１２〜３０Ｖの場合、低酸素雰囲気ではアーク密度が増加するものの、一方でアークの継続時間が短縮するため、接点端子が受ける総ダメージ量は比較的少ない。これに対して、端子間が交流負荷電圧５０Ｖ〜３００Ｖの場合、アーク継続時間は交流特有のゼロクロス時間のみに依存する。このため、低酸素雰囲気下では、アーク密度が増加し、継続時間は変化しないため、結果的に接点端子が受けるダメージは大きくなる。
【００３３】
次に、本開示かかる材料から形成された端子を有する閉鎖型継電器（実施例１、２）と、他の材料から形成された端子を有する閉鎖型継電器（比較例１、２）について、開閉動作（リレー／スイッチング動作）を行った結果を示す。
【００３４】
表２は、実施例１、２、比較例１、２に用いた継電器の端子の組成である。条件に示すように、いずれの継電器も閉鎖型継電器とした。
【００３５】
表２
2020013661.tif 000004
【００３６】
表３は、評価に用いた条件である。可動端子と固定端子との間に印加される電圧／電流は、交流２５０Ｖ／１６Ａで、端子の開閉は、１．０秒間ＯＮ（接触）／９．０秒ＯＦＦ（非接触）の繰り返しとした。試験雰囲気温度は、２３℃（室温）である。
【００３７】
表３
2020013661.tif 000005
【００３８】
評価は、この評価条件で端子間が溶着故障するまでの開閉回数で行った。それぞれの比較例、実施例について、５サンプルずつ評価を行った。図４に評価結果を示す。
【００３９】
図４から明らかなように、比較例１（Ａｇ−ＳｎＯ２１２ｗｔ％）では、２０，０００回以下の開閉で溶着故障が発生し、比較例２（Ａｇ−Ｎｉ１０ｗｔ％）では６０，０００回程度で溶着故障が発生した。これに対して、実施例１（Ａｇ−Ｗ１０ｗｔ％）、実施例２（Ａｇ−Ｗ６０ｗｔ％）では、１００，０００回またはそれ以上の開閉が可能となった。
【００４０】
このように、端子材料としてＡｇＷ系材料（Ａｇ−Ｗ１０ｗｔ％Ａｇ−Ｗ６０ｗｔ％）を用いることにより、閉鎖型継電器の開閉動作（リレー／スイッチング動作）において、比較例のような端子材料の軟化が発生せず、溶着故障を防止して長寿命化が可能となることがわかった。
【００４１】
以上、図面を参照して本開示にかかる実施の形態について説明したが、最後に、本開示の種々の態様について説明する。なお、以下の説明では、一例として、参照符号を添えて記載する。
【００４２】
本開示の第１の態様の閉鎖型継電器１００は、
可動接点４５を有する可動端子４０と、固定接点５５を有する固定端子５０と、コイル３０とが取り付けられたベース１０と、
前記ベース１０に取り付けられたケース２０であって、前記可動端子４０、前記固定端子５０、および前記コイル３０を、前記ベース１０により形成された空間に閉鎖する前記ケース２０と、を含み、
前記コイル３０に電流を供給して発生した磁力により前記可動端子４０を動かして、前記可動接点４５と前記固定接点５５とを間を接触または非接触にする閉鎖型継電器１００であって、
前記可動接点４５および前記固定接点５５の少なくとも１つが、
４０重量％以上の銀と、１重量％以上のタングステンおよび／またはタングステンカーバイドと、を含む。
【００４３】
本開示の第１の態様の閉鎖型継電器１００によれば、開閉動作（リレー／スイッチング）動作中の、可動端子４０と固定端子５０との間の溶着を防止し、閉鎖型継電器１００の長寿命化が可能となる。特に、閉鎖型の継電器で、酸素濃度が低下する環境においても、溶着を防止することができる。
【００４４】
本発明の第２の態様の閉鎖型継電器１００は、
可動接点４５を有する可動端子４０と、前記可動端子４０を挟んで対向配置された、固定接点５５を有する１対の固定端子５０と、コイル３０とが取り付けられたベース１０と、
前記ベース１０に取り付けられたケース２０であって、前記可動端子４０、前記固定端子５０、および前記コイル３０を、前記ベース１０により形成された空間に閉鎖する前記ケース２０と、を含み、
前記コイル３０に電流を供給して発生した磁力により前記可動端子４０を動かして、いずれかの前記固定端子５０の固定接点５５に、前記可動端子４０の可動接点４５を接触させる閉鎖型継電器１００であって、
前記可動接点４５および前記固定接点５５の少なくとも１つが、
４０重量％以上の銀と、１重量％以上のタングステンおよび／またはタングステンカーバイドと、を含む。
【００４５】
本開示の第２の態様の閉鎖型継電器１００によれば、開閉動作（リレー／スイッチング）動作中の、２つの可動端子４０と固定端子５０との間の溶着を防止し、閉鎖型継電器１００の長寿命化が可能となる。特に、閉鎖型の継電器で、酸素濃度が低下する環境においても、溶着を防止することができる。
【００４６】
本開示の第３の態様の閉鎖型継電器１００では、
前記可動接点４５および前記固定接点５５の少なくとも１つが、
４０重量％以上で９９重量％以下の銀と、１重量％以上で６０重量％以下のタングステンおよび／またはタングステンカーバイドと、を含む。
【００４７】
本開示の第３の態様の閉鎖型継電器１００によれば、開閉動作中の、可動端子４０と固定端子５０との間の溶着を防止し、閉鎖型継電器の長寿命化が可能となる。
【００４８】
本開示の第４の態様の閉鎖型継電器１００では、
前記前記可動接点４５および前記固定接点５５の少なくとも１つが、
８５重量％以上で９７重量％以下の銀と、３重量％以上で１５重量％以下のタングステンおよび／またはタングステンカーバイドと、を含む。
【００４９】
本開示の第４の態様の閉鎖型継電器１００によれば、開閉動作中の、可動端子４０と固定端子５０との間の溶着を防止し、閉鎖型継電器の長寿命化が可能となる。
【００５０】
本開示の第５の態様の閉鎖型継電器１００では、
前記前記可動接点４５および前記固定接点５５の少なくとも１つが、さらに、炭素、鉄、ニッケル、コバルト、クロム、モリブデン、銅、タンタル、バナジウム、マグネシウム、亜鉛、スズ、インジウム、ビスマス、パラジウム、ランタン、セリウム、ソリウム、イットリウムおよびジルコニウムからなるグループから選択される少なくとも１つの元素を添加物として含む。
【００５１】
本開示の第５の態様の閉鎖型継電器１００によれば、より長寿命の閉鎖型継電器が得られる。
【００５２】
本開示の第６の態様では、
前記可動端子４０と前記固定端子５０の間に交流電流が供給される。
【００５３】
本開示の第６の態様の閉鎖型継電器１００では、接点端子が受けるダメージが大きくなる交流電流に対しても、開閉動作中の、可動端子４０と固定端子５０との間の溶着を防止し、閉鎖型継電器の長寿命化が可能となる。
【００５４】
本開示の第７の態様では、
上記交流電流は、交流電圧が５０Ｖ以上で３００Ｖ以下、かつ定格電流が５Ａ以上で３０Ａ以下、である。
【００５５】
本開示の第７の態様の閉鎖型継電器１００によれば、一般に低酸素雰囲気下では、アーク密度が増加し、継続時間は変化しないため、結果的に端子が受けるダメージは大きくなるが、端子間の溶着を防止し、閉鎖型継電器の長寿命化が可能となる。
【００５６】
本開示の第８の態様では、
前記コイルは、１アンペアターン以上で、７５００００アンペアターン以下の起磁力を有する。
【００５７】
本開示の第８の態様の閉鎖型継電器１００によれば、このようなコイルを用いた閉鎖型継電器の長寿命化が可能となる。
【００５８】
本開示の第９の態様では、
前記コイルは、１アンペアターン以上で、３０００００アンペアターン以下の起磁力を有する。
【００５９】
本開示の第９の態様の閉鎖型継電器１００によれば、このようなコイルを用いた閉鎖型継電器の長寿命化が可能となる。
【００６０】
本発明の第１０の態様の閉鎖型継電器１００では、
外形容積は、１ｃｃ以上で、１００ｃｃ以下である。
【００６１】
本開示の第１０の態様の閉鎖型継電器１００によれば、このようなコイルを用いた閉鎖型継電器の長寿命化が可能となる。
【００６２】
本発明の第１１の態様の閉鎖型継電器１００では、
外形容積は、１ｃｃ以上で、２０ｃｃ以下である。
【００６３】
本開示の第１１の態様の閉鎖型継電器１００によれば、このようなコイルを用いた閉鎖型継電器の長寿命化が可能となる。
【００６４】
本開示の第１２の態様の閉鎖型継電器１００では、図１で示される１対の固定端子５０および１対の固定接点５５の替わりに、１つの固定端子および１つ固定接点を用いてもよい。
【産業上の利用可能性】
【００６５】
本開示の閉鎖型継電器は、例えば、車載用の継電器として使用される。
【符号の説明】
【００６６】
１０  ベース
２０  ケース
３０  コイル
４０  可動端子
４５  可動接点
５０  固定端子
５５  固定接点
６０  鉄心
１００  閉鎖型継電器
【図１】
2020013661.tif 000006
【図２Ａ】
2020013661.tif 000007
【図２Ｂ】
2020013661.tif 000008
【図３】
2020013661.tif 000009
【図４】
2020013661.tif 000010